(57)【要約】  トレーニングシステムを使用時に表面に配置するのに使用するフレームと、サイクル軸周りに回動するように構成された少なくとも１つのサイクリング部材を備えるサイクリング装置と、少なくとも１つのサイクリング部材を振動態様で運動させるための振動装置とを備える、ユーザーの身体部位を鍛えるためのトレーニングシステムと、この方法と使用である。
2011524235.tif 000002
【特許請求の範囲】
【請求項１】
ユーザーの身体部位を鍛えるためのトレーニングシステムであって、
前記トレーニングシステムを使用時に表面に配置するのに使用するフレームと、
サイクル軸周りに回動するように構成された少なくとも１つのサイクリング部材を備えるサイクリング装置と、
前記少なくとも１つのサイクリング部材を振動態様で運動させるための振動装置と
を備える、トレーニングシステム。
【請求項２】
前記振動装置は前記サイクル軸を振動態様で運動させるように構成されている、請求項１に記載のトレーニングシステム。
【請求項３】
前記サイクル軸は前記フレームに対して振動態様で運動するように構成されている、請求項１又は２に記載のトレーニングシステム。
【請求項４】
前記サイクル軸が前記フレームに対して振動態様で運度するように、前記サイクリング装置が前記フレームに連結されている、請求項１から３のいずれかに記載のトレーニングシステム。
【請求項５】
前記振動装置は、前記サイクル軸に連結されると共に前記サイクル軸を振動態様で運動するように構成されたクランクシャフトを備える、請求項１から４のいずれかに記載のトレーニングシステム。
【請求項６】
前記クランクシャフトはクランクシャフト軸を備え、前記サイクル軸は前記クランクシャフト軸から離れて位置し、かつ前記クランクシャフトは前記クランクシャフト軸周りに回動するように構成されている、請求項５に記載のトレーニングシステム。
【請求項７】
前記クランクシャフトは前記クランクシャフト軸が前記フレームに対して実質的に固定された位置に位置するように前記クレームに連結されている、請求項５又は６に記載のトレーニングシステム。
【請求項８】
クランクシャフトは、サイクル軸の振動運動が誘発する力を補償する第１の偏心重錘を備える、請求項５から７のいずれかに記載のトレーニングシステム。
【請求項９】
前記サイクリング装置は、前記少なくも１つのサイクリング部材が前記サイクル軸周りに回動するときに前記サイクル軸周りに回動するように構成されたサイクルディスクを備える、請求項１から８のいずれかに記載のトレーニングシステム。
【請求項１０】
サイクルディスクは無端体に係合する、請求項９に記載のトレーニングシステム。
【請求項１１】
振動装置はサイクルディスクを振動態様にて運動させるよう構成した、請求項９又は１０に記載のトレーニングシステム。
【請求項１２】
クランクシャフトはサイクルディスクの振動運動が誘発する力を補償する第２の偏心重錘を備える、請求項５ないし８のいずれかと組み合わせた請求項１１に記載のトレーニングシステム。
【請求項１３】
前記サイクル軸は、前記サイクル軸から前記サイクルディスクへの振動の伝達を低減するダンピング継手を介して前記サイクルディスクに連結されている、請求項９又は１０に記載のトレーニングシステム。
【請求項１４】
前記ダンピング継手は前記サイクル軸の振動運動の前記サイクルディスクへの伝達を低減する弾性材料を備える、請求項１３に記載のトレーニングシステム。
【請求項１５】
ダンピング継手は、サイクルディスクへのサイクル軸の振動運動の伝達を低減する弾性ブッシュを備え、この弾性ブッシュがサイクル軸を囲繞する、請求項１３又は１４に記載のトレーニングシステム。
【請求項１６】
ダンピング継手は、サイクルディスクへのサイクル軸の振動運動の伝達を低減するゴムブッシュを備え、このゴムブッシュがサイクル軸を囲繞する、請求項１３から１５のいずれかに記載のトレーニングシステム。
【請求項１７】
トレーニングシステムは、サイクルディスクが係合する無端体に張力付与する張力付与装置を備える、請求項１０から１６のいずれかに記載のトレーニングシステム。
【請求項１８】
張力付与装置は無端体に係合し、サイクル軸の振動運動と対比したときに、使用時に張力付与装置が逆相で運動するようクランクシャフトに接続した、請求項１７に記載のトレーニングシステム。
【請求項１９】
張力付与装置は、無端体に係合する少なくとも１個の張力付与ローラーと、ローラー支持体とを備え、このローラー支持体が前記少なくとも１個の張力付与ローラーをクランクシャフトに接続し、サイクル軸の振動運動と対比したときに、使用時に逆相で運動する、請求項１７又は１８に記載のトレーニングシステム。
【請求項２０】
サイクルディスクは第１の係合領域と第２の係合領域において無端体に係合し、張力付与ガイドは、第１の係合領域と第２の係合領域との間で無端体に係合する、請求項１０から１９のいずれかに記載のトレーニングシステム。
【請求項２１】
第１の係合領域と第２の係合領域は、互いに所定距離を置いて配置した、請求項２０に記載のトレーニングシステム。
【請求項２２】
前記振動装置を駆動するための駆動装置を備える、請求項１から２１のいずれかに記載のトレーニングシステム。
【請求項２３】
前記駆動装置は前記サイクリング装置により駆動されるように構成されている、請求項２２に記載のトレーニングシステム。
【請求項２４】
前記駆動装置の前記振動装置に対する連結と、前記駆動装置の前記振動装置からの切り離しとのための連結装置を備える、請求項２２又は２３に記載のトレーニングシステム。
【請求項２５】
連結装置は、連結装置と振動装置との間の連結分離を制御する連結制御部材を備える、請求項２４に記載のトレーニングシステム。
【請求項２６】
文節１から９２の特徴のうちの１つ又は任意の組み合わせを備える、請求項１から２５のいずれかに記載のトレーニングシステム。
【請求項２７】
請求項１から２６のいずれかに記載の前記トレーニングシステムの前記サイクル軸回りに前記少なくとも１つのサイクル部材を回動させるために前記身体部位を使用する、ユーザーの身体部位を鍛える方法
【請求項２８】
請求項１から２６のいずれかに記載のトレーニングシステムの使用。
【発明の詳細な説明】
【技術分野】
【０００１】
本発明は、ユーザーの身体部位を鍛えるトレーニングシステム（トレーニング装置とも呼ぶ）に関する。上記トレーニングシステムは、使用時に表面にトレーニングシステムを位置決めするフレームと、サイクル軸周りに回動する構成とした少なくとも１個のサイクリング部材を備えるサイクリング装置（サイクリング手段とも呼ぶ）とを備える。
【背景技術】
【０００２】
身体部位をトレーニングするため、ユーザーは該身体部位を用いてサイクル軸周りにサイクリング部材を回動させることでサイクリング運動を行なう。サイクリング部材には、ペダルを含ませることができる。ユーザーは、彼／彼女の脚でもってペダルを回動させることができる。トレーニングシステムに、彼／彼女の脚とは異なるユーザーの肉体の一部でもって少なくとも１個のサイクリング部材を回動する構成としたサイクリング装置等の他の任意の種類のサイクリング装置を備えてもよいことは、明白であろう。例えば、サイクリング部材はユーザーの腕を用いてサイクリング軸周りに回動させることができる。
【０００３】
先行技術から公知のトレーニングシステムの欠点は、ユーザーが効果的なトレーニングを達成するのにユーザーが比較的長期の時間期間にわたってトレーニングしなければならない点にある。
【発明の概要】
【発明が解決しようとする課題】
【０００４】
本発明の目的は、改善されたトレーニングシステムを提供することにある。
【課題を解決するための手段】
【０００５】
本発明に係るトレーニングシステムは、少なくとも１個のサイクリング部材を振動態様にて運動させる振動装置（振動手段とも呼ぶ）を備える。
【０００６】
本発明に係るトレーニングシステムの一実施形態では、振動装置はサイクル軸を振動態様にて運動させる構成とされる。トレーニングシステムは、使用時にサイクル軸がフレームに対し振動態様にて運動するよう構成することができる。サイクリング装置は、サイクル軸がフレームに対し振動態様にて可動とされるようフレームに接続することができる。
【０００７】
本発明のトレーニングシステムの一実施形態では、振動装置はサイクル軸に接続され、サイクル軸を振動態様にて運動させるよう構成されたクランクシャフトを備える。クランクシャフトはクランクシャフト軸を備え、サイクル軸はクランクシャフト軸から所定距離を置いて配置できるようにし、クランクシャフトはクランクシャフト軸周りにサイクル軸を回動させるよう構成することができる。クランクシャフトは、クランクシャフト軸がフレームに対し実質固定位置に配置されるようフレームに対し接続することができる。クランクシャフトは、サイクル軸の振動運動により誘発される力を補償する第１の偏心重錘で構成することができる。
【０００８】
サイクリング装置は、少なくとも１個のサイクル部材がサイクル軸周りに回動する際に該サイクル軸周りに回動する構成としたサイクルディスクで構成することができる。サイクルディスクは、無端体に係合させることができる。振動装置は、サイクルディスクを振動態様にて運動させる構成とすることができる。クランクシャフトは、サイクルディスクの振動運動が誘発する力を補償する第２の偏心重錘で構成することができる。
【０００９】
本発明に係るトレーニングシステムの一実施形態では、サイクル軸をダンピング継手を介してサイクルディスクに連結し、サイクルディスクに対するサイクル軸の振動運動の伝達を低減する。ダンピング継手は、サイクルディスクに対するサイクル軸の振動運動の伝達を低減する弾性材料で構成することができる。ダンピング継手は、サイクルディスクに対するサイクル軸の振動運動の伝達を低減する弾性ブッシュで構成することができ、この弾性ブッシュがサイクル軸を囲繞する。ダンピング継手はサイクルディスクに対するサイクル軸の振動運動の伝達を低減するゴムブッシュで構成することができ、このゴムブッシュがサイクル軸を囲繞する。
【００１０】
トレーニングシステムは、サイクルディスクが係合する無端体に張力付与する張力付与装置で構成することができる。張力付与装置は、無端体に係合させてクランクシャフトに接続し、サイクル軸の振動運動と対比したときに使用時に張力付与装置が逆相で運動するようにできる。張力付与装置は、無端体に係合する少なくとも１個の張力付与ローラーとローラー支持体とで構成することができ、このローラー支持体は前記少なくとも１個の張力付与ローラーをクランクシャフトに接続し、サイクル軸の振動運動と対比したときに使用時に逆相で運動する。
【００１１】
本発明に係るトレーニングシステムの一実施形態では、サイクルディスクが第１の係合領域と第２の係合領域で無端体に係合し、張力付与ガイドは第１の係合領域と第２の係合領域との間で無端体に係合する。第１の係合領域と第２の係合領域は、互いに所定距離に配置することができる。
【００１２】
トレーニングシステムは、振動装置を駆動する駆動装置（駆動手段とも呼ぶ）で構成することができる。駆動装置は、サイクリング装置により駆動する構成とすることができる。トレーニングシステムは、駆動装置を振動装置に連結するとともに振動装置から駆動装置を分離する連結装置で構成することができる。連結装置は、連結装置と振動装置との間の連結分離を制御する連結制御部材で構成することができる。
【００１３】
フレームは着座部材で構成することができ、サイクル軸は着座部材に対し振動態様にて可動とすることができる。
【００１４】
本発明に係るトレーニングシステムの一実施形態では、サイクル軸が振動態様にてフレームに対し可動となるよう、サイクリング装置をフレームに対し揺動可能に接続することができる。
【００１５】
本発明に係るトレーニングシステムのさらなる実施形態では、サイクリング装置は揺動部材を介してフレームに接続される。揺動部材は、長手方向軸で構成することができる。揺動部材は、例えば梁状部品から形成された細長い本体で構成することができる。
【００１６】
揺動部材は、揺動部材上の第１の接続点でフレームに揺動可能に接続することができる。振動装置は、揺動部材上の第２の接続点で揺動部材に接続することができる。長手方向軸の方向において、第１の接続点と第２の接続点は互いに所定距離に配置することができる。
【００１７】
サイクリング装置は、揺動部材の第３の接続点で揺動部材に接続することができる。長手方向軸の方向において、第３の接続点は第２の接続点が前記第１の接続点から位置するよりも第１の接続点から遠い距離に配置することができる。長手方向軸の方向において、第２の接続点は第３の接続点が前記第１の接続点から位置するよりも第１の接続点から遠い距離に配置することができる。長手方向軸の方向において、第２の接続点は第３の接続点が前記第１の接続点から位置するのと同じ距離に第１の接続点から配置することができる。
【００１８】
ダンパー（ダンピング手段とも呼ぶ）は、揺動部材上の第４の接続点で揺動部材に接続することができる。長手方向軸の方向において、第３の接続点は第４の接続点が前記第１の接続点から位置するよりも第１の接続点から遠い距離に配置することができる。長手方向軸の方向において、第４の接続点は、第３の接続点が前記第１の接続点から位置するよりも第１の接続点から遠い距離に配置することができる。長手方向軸の方向において、第３の接続点は、第４の接続点が前記第１の接続点から位置するのと同じ距離に第１の接続点から配置することができる。
【００１９】
揺動部材は、フレームの一側から延在する揺動部で構成することができる。第１の接続点は、前記揺動部上に配置することができる。第２の接続点は、前記揺動部上に配置することができる。第３の接続点は、前記揺動部上に配置することができる。第４の接続点は、前記揺動部上に配置することができる。
【００２０】
本発明に係るトレーニングシステムの一実施形態では、振動装置は揺動部材に接続したクランクシャフトで構成される。クランクシャフトは、第２の接続点で揺動部材に接続することができる。クランクシャフトは、接続ロッドを介して揺動部材に接続することができる。クランクシャフトが他の任意の種類種の連接棒を介して揺動部材に接続できることは、明らかであろう。
【００２１】
トレーニングシステムは、クランクシャフトを駆動する駆動装置で構成することができる。前記駆動装置は、クランクシャフトに連結される電動モーターで構成することができる。振動装置は、サイクリング装置により駆動することができる。クランクシャフトは、サイクリング装置により駆動することができる。前記駆動装置は、クランクシャフトに連結するフライホイールで構成することができる。フライホイールは、フライホイールの回動運動がクランクシャフトに伝達されるようクランクシャフトに連結することができる。フライホイールは、無端駆動体によりクランクシャフトに連結することができる。前記無端駆動体は、無端ベルトあるいは無端チェーン等の適当な任意の種類の無端体とすることができる。フライホイールは、少なくとも１個の無端駆動体によりクランクシャフトに連結することができる。フライホイールは、ただ１個の無端駆動体によりクランクシャフトに連結することができる。フライホイールは、ギヤ装置（ギヤ手段とも呼ぶ）を介してクランクシャフトに連結することができる。ギヤ装置は、異なるギヤ比を選択する構成とされる。ギヤ装置は、ディレーラーギヤあるいはハブギヤで構成することができる。フライホイールは、サイクリング装置により駆動することができる。サイクリング装置は、フライホイールに連結して該フライホイールを駆動することができる。フライホイールは、少なくとも１個のサイクル部材の回動運動がフライホイールに伝達されるようサイクリング装置に連結することができる。サイクリング装置は、無端循環体によりフライホイールに連結することができる。前記無端循環体は、無端ベルトや無端チェーン等の適当な任意の種類の無端体とすることができる。サイクリング装置は、少なくとも１個の無端循環体によりフライホイールに連結することができる。サイクリング装置は、ただ１個の無端循環体によりフライホイールに連結することができる。フライホイールは、無端駆動体に係合する第１の連結部材で構成することができる。フライホイールは、無端循環体に係合する第２の連結部材で構成することができる。サイクリング装置は、ギヤ装置を介してフライホイールに連結することができる。サイクリング装置は、無端循環体に係合する第３の連結部材で構成することができる。サイクリング装置は、少なくとも１個のサイクル部材を前記サイクル軸周りに回動させたときにサイクル軸周りに回動するよう構成したサイクルディスクで構成することができる。サイクルディスクは、第３の連結部材で構成することができる。振動装置は、無端循環体に係合する第４の連結部材で構成することができる。クランクシャフトは、第４の連結部材で構成することができる。
【００２２】
本発明に係るトレーニングシステムのさらなる実施形態では、振動装置は揺動部材に回動可能に接続された少なくとも１個の偏心重錘と、揺動部材が揺動態様にて運動するよう少なくとも１個の偏心重錘を回動させる電動駆動機とを備える。
【００２３】
本発明に係るトレーニングシステムの別の実施形態では、振動装置はディスク形状部材を前記サイクル軸周りに回動可能とするようサイクリング装置に接続されたディスク形状部材を備える。ディスク形状部材の周囲には、実質径方向に延在する突起が備わっている。振動装置はさらに、ディスク形成部材をサイクル軸周りに回動させたときに少なくとも１個のサイクリング部材が振動態様にて運動するよう、前記周縁に対し押圧する押圧装置（押圧手段とも呼ぶ）を備える。ディスク形状部材の周縁の突起は、湾曲形や多角形等の形状の前記周縁で形成することができる。ディスク形状部材の中心軸は、サイクル軸に実質平行に延在させることができる。ディスク形状部材の中心軸は、サイクル軸に実質合致させることができる。
【００２４】
押圧装置は、押圧部材をディスク形状部材の周縁に押し付けるよう構成される。押圧部材は、ばねにより前記周縁に対し押し付けることができる。押圧装置は、押圧部材がサイクル軸に対し径方向にのみ変位可能とされるよう構成することができる。
【００２５】
本発明のトレーニングシステムの一実施形態では、サイクリング装置が無端体を駆動し、振動装置は少なくとも１個のサイクリング部材が振動態様にて運動するよう無端体を振動させる構成とする。無端体は、駆動チェーンや駆動ベルト等とすることができる。振動装置は、無端体に対し衝撃部材を発振態様にて駆動するよう構成することができる。振動装置は、無端体の両側に対し衝撃部材を発振態様にて駆動するよう構成することができる。振動装置は、衝撃部材を発振態様にて駆動するソレノイドで構成することができる。
【００２６】
本発明のトレーニングシステムのさらなる実施形態では、トレーニングシステムはサイクル軸周りにサイクリング部材の回動に対し抵抗を与え、それを調整する可調整サイクリング抵抗器を備える。
【００２７】
本発明に係るトレーニングシステムの別の実施形態では、サイクル軸はフレームに固定される。前記実施形態では、少なくとも１個のサイクリング部材の振動運動がフレームに伝達される。
【００２８】
本発明はさらにユーザーの身体部位を鍛える方法で、該身体部位を用いて本発明に係るトレーニングシステムのサイクル軸周りに少なくとも１個のサイクル部材を回動させる方法に関する。
【００２９】
本発明はさらに、本発明に係るトレーニングシステムの使用法に関する。
【００３０】
本発明に係るトレーニングシステムと該トレーニングシステムの方法と使用法を、添付図面を参照して詳しく説明することにする。
【図面の簡単な説明】
【００３１】
【図１】本発明に係るトレーニングシステムの第１実施形態の側面斜視図を概略的に示す。
【図２】図１のＩＩ部分の拡大図を概略的に示す。
【図３】本発明に係るトレーニングシステムの第２実施形態の側面斜視図を概略的に示す。
【図４】本発明に係るトレーニングシステムの第３実施形態の側面斜視図を概略的に示す。
【図５】本発明に係るトレーニングシステムの第４実施形態の側面斜視図を概略的に示す。
【図６】本発明に係るトレーニングシステムの第５実施形態の側面図を概略的に示す。
【図７】本発明に係るトレーニングシステムの第６実施形態の側面図を概略的に示す。
【図８】本発明に係るトレーニングシステムの第７実施形態の側面図を概略的に示す。
【図９】図８のＩＸ部分の拡大図を概略的に示すものであり、図１〜図９と対応する参照符号は対応する特徴に関するものである。
【図１０】本発明に係るトレーニングシステムの第８実施形態の斜視図を概略的に示す。
【図１１】矢印ＸＩの方向での図１０のトレーニングシステムの側面図を概略的に示す。
【図１２】矢印ＸＩＩの方向での図１０のトレーニングシステムの側面図を概略的に示す。
【図１３】図１２のトレーニングシステムの線ＸＩＩＩに沿う断面斜視図を概略的に示す。
【図１４】図１２のトレーニングシステムの線ＸＩＶに沿う断面斜視図を概略的に示す。
【図１５】本発明に係るトレーニングシステムのサイクリング装置と振動装置の代案の実施形態の側面図を概略的に示す。
【図１６】本発明に係るトレーニングシステムのサイクリング装置と振動装置の代案の実施形態の側面図を概略的に示す。
【図１７】本発明に係るトレーニングシステムのサイクリング装置と振動装置の代案の実施形態の側面図を概略的に示す。
【図１８】本発明に係るトレーニングシステムのサイクリング装置と振動装置の代案の実施形態の側面図を概略的に示す。
【図１９】本発明に係るトレーニングシステムのサイクリング装置と振動装置の代案の実施形態の側面図を概略的に示す。
【図２０】本発明に係るトレーニングシステムの第９実施形態を概略的に示す。
【図２１】本発明に係るトレーニングシステムの第９実施形態を概略的に示す。
【図２２】本発明に係るトレーニングシステムの第９実施形態を概略的に示す。
【図２３】本発明に係るトレーニングシステムの第９実施形態を概略的に示す。
【図２４ａ】本発明に係るトレーニングシステムの第９実施形態を概略的に示す。
【図２４ｂ】本発明に係るトレーニングシステムの第９実施形態を概略的に示す。
【図２５】本発明に係るトレーニングシステムの第９実施形態を概略的に示す。
【図２６】本発明に係るトレーニングシステムの第１０実施形態を概略的に示す。
【図２７】本発明に係るトレーニングシステムの第１０実施形態を概略的に示す。
【図２８】本発明に係るトレーニングシステムの第１１実施形態を概略的に示す。
【図２９】本発明に係るトレーニングシステムの第１１実施形態を概略的に示す。
【図３０】本発明に係るトレーニングシステムの第１２実施形態を概略的に示す。
【図３１】本発明に係るトレーニングシステムの第１２実施形態を概略的に示す。
【図３２】本発明に係るトレーニングシステムの第１２実施形態を概略的に示す。
【図３３】本発明に係るトレーニングシステムの第１３実施形態を概略的に示す。
【図３４】本発明に係るトレーニングシステムの第１３実施形態を概略的に示す。
【図３５】本発明に係るトレーニングシステムの第１４実施形態を概略的に示す。
【図３６】本発明に係るトレーニングシステムの第１４実施形態を概略的に示す。
【図３７】本発明に係るトレーニングシステムの第１５実施形態を概略的に示す。
【図３８】本発明に係るトレーニングシステムの第１６実施形態を概略的に示す。
【図３９】本発明に係るトレーニングシステムの第１６実施形態を概略的に示す。
【図４０】本発明に係るトレーニングシステムの第１６実施形態を概略的に示す。
【発明を実施するための形態】
【００３２】
図１〜図４０において、対応する特徴は対応する参照符号で示される。
【００３３】
図１は、ユーザの身体部位を訓練するためのトレーニングシステム１を示す。前記トレーニングシステム１は、表面３上にトレーニングシステム１を位置決めするのに使用するフレーム２と、２個のサイクリング部材５を備えるサイクリング装置４とで構成される。サイクリング部材５は、サイクル軸６周りを回動するよう構成される。振動装置７は、サイクリング部材５を振動態様にて運動させるよう配設してある。
【００３４】
サイクリング部材５はペダルであり、使用時にユーザーの足が前記ペダル上に配置される。ユーザーの身体の下半身を鍛えるため、彼／彼女はサイクル軸６周りにサイクリング部材５を回動させることで、彼／彼女の脚と足のサイクリング運動を行なう。前記サイクリング運動の期間中、サイクリング部材の振動運動はユーザーの身体の下半身に伝わる。サイクリング部材５の振動運動は、サイクリング部材６のサイクル軸６周りの回動運動に付加されるものである。これにより、より効率的なトレーニングが得られる。先行技術から公知のトレーニングシステムと対比したときに、同じトレーニング効果がより短い期間で達成される。
【００３５】
トレーニングシステム１のフレーム２は、着座部材８とユーザー支持体３４とを備える。揺動部材９は、該揺動部材９の第１の接続点１１でフレーム２に揺動可能に接続してある。振動装置７は、揺動部材９上の第２の接続点１２で揺動部材９に接続してある。揺動部材９は、長手方向軸１０を備える。長手方向軸１０の方向に、第１の接続点１１と第２の接続点１２は互いに所定距離を置いて配置してある。
【００３６】
サイクリング装置４は、揺動部材９の第３の接続点１３で揺動部材９に接続してある。長手方向軸１０の方向に、第３の接続点１３は、第１の接続点１１から第２の接続点１２が位置するよりも遠い距離に第１の接続点１１から配置してある。揺動部材９は、フレーム２の一側３５から延在する揺動部１６を備える。第１の接続点１１と第２の接続点１２と第３の接続点１３は、前記揺動部１６上に位置する。
【００３７】
振動装置７は、連接棒３６を介して第２の接続点１２で揺動部材９に接続されたクランクシャフト１７を備える。クランクシャフト１７は、揺動部材９に接続されたサイクリング装置４の振動運動をもたらす信頼に足る構造を提供する。さらに、使用時にクランクシャフト１７は比較的静かである。
【００３８】
トレーニングシステム１は、クランクシャフト１７を駆動する駆動装置１８を備える。駆動装置１８は、フライホイール軸３７周りに回動可能なフライホイール２０を備える。フライホイール２０は、フライホイール２０の回動運動がクランクシャフト１７に伝達されるようクランクシャフト１７に機械的に連結してある。フライホイール２０はまた、サイクリング軸６周りのサイクリング部材５の回動運動がフライホイール２０に伝達されるようサイクリング装置４に機械的に連結してある。このことは、クランクシャフト１７がサイクリング装置４によって駆動されることを意味する。サイクリング部材５の振動運動は、それ故にサイクル軸６周りの前記サイクリング部材５の回動によって駆動される。振動装置７は、使用時にサイクル軸６周りにサイクリング部材５を回動させるユーザーによって駆動される。フライホイール２０は、２個の無端体３８（そのそれぞれを以下無端駆動体３８と呼ぶ）によりクランクシャフト１７に、また１個の無端体３９（以下無端循環体３９と呼ぶ）によりサイクリング装置４に機械的に連結してある。サイクリング装置４は、サイクル軸６周りにサイクル部材５を回動させたときにサイクル軸６周りに回動するよう構成されたサイクルディスク３０を備える。フライホイール２０は、無端駆動体３８の一方に係合する第１の連結部材５１と、無端循環体３９に係合する第２の連結部材（図示せず）とを備える。サイクルディスク３０は、無端循環体３９に係合する第３の係合部材５３を備える。クランクシャフト１７は、無端駆動体３８の他方に係合する第４の連結部材５４を備える。
【００３９】
揺動部材９がフレーム２に揺動可能に接続されているとの事実が故に、サイクリング装置４は使用時にフレーム２に対し振動運動を行なう。こうして、フレーム２に対するサイクリング装置４の振動運動は単純かつ効果的な構成により達成される。揺動部材９は、梁状部品から形成してある。トレーニングシステム１では、サイクル軸６は使用時にフレーム２に対し振動運動を行なう。これが、サイクリング部材５を振動態様にて運動させる有効な方法をもたらす。さらに、これがサイクル軸６の振動がフレーム２に伝達されない（あるいは少なくとも顕著に低減された形態とされる）よう保証する。これにより、サイクリング部材５のより効果的な振動が得られ、何故ならサイクリング装置４の振動はフレーム２によって減衰させられないからである。これに加え、より快適なトレーニングが提供され、何故なら着座部材８とユーザー支持体３４を介してフレームに支持されるユーザーは、前記着座部材８及び／又はユーザー支持体３４の振動運動にさらされない（あるいは少なくとも顕著に低減された形態とされる）からである。必要に応じて、ダンパー（図示せず）を用いてフレーム２に対するサイクリング装置４の振動運動の伝達をさらに低減することができる。トレーニングシステム１はさらに、振動装置７に接続した基部プレート４１を備える。前記基部プレート４１は比較的大きな質量を有していて、トレーニングシステム１に対し安定性をもたらす。
【００４０】
図２は、図１の部分ＩＩの拡大図を示す。クランクシャフト１７によりもたらされる揺動部材９とサイクル軸６の振動運動は、矢印４０によって示される。
【００４１】
図３は、本発明に係るトレーニングシステム１の第２実施形態を示す。トレーニングシステム１では、フライホイール２０がギヤ装置２１を介してクランクシャフト１７に連結してある。ギヤ装置２１は、異なるギヤ比を選択する構成としてある。ギヤ比は、ユーザー支持体３４上に位置するギヤコントローラ４２により調整可能である。ギヤ装置２１は、ハブギヤを備える。異なるギヤ比を選択することで、サイクル軸６周りのサイクリング部材５の回動に対する抵抗が調整される。
【００４２】
図４は、本発明に係るトレーニングシステムの第３実施形態を示す。前記トレーニングシステム１では、駆動装置１８はクランクシャフト１７に機械的に連結した電動モーター１９を備える。電動モーター１９は、駆動ベルト３８によりクランクシャフト１７に機械的に連結される。フライホイール２０は、駆動チェーン３９によりサイクリング装置４に機械的に連結される。トレーニングシステム１では、フライホイール２０をクランクシャフト１７に機械的に連結させていない。振動装置７は、電動モータ１９により駆動される。フライホイール２０を、クランクシャフト１７に機械的に連結してもよい。この場合、振動装置７（より具体的にはクランクシャフト１７）は電動モーター１９及び／又はサイクリング装置４により駆動される。
【００４３】
図５は、本発明に係るトレーニングシステムの第４実施形態を示す。長手方向軸１０の方向に、第２の接続点１２は、前記第１の接続点１１から第３の接続点１３が位置するよりも遠い距離に第１の接続点１１から配置してある。ダンパー１５は、揺動部材９上の第４の接続点１４で揺動部材９に接続されている。ダンパー１５は、ダンピング支持体４６により支持されている。ダンパー１５は、揺動部材９の振動運動に対する追加の安定性をもたらす。長手方向軸１０の方向に、第３の接続点１３は、前記第１の接続点１１から第４の接続点１４が位置するよりも遠い距離に第１の接続点１１から配置してある。
【００４４】
振動装置７は、揺動部材９に回動可能に接続した偏心重錘と、この偏心重錘を回動させる電動駆動機とを備える。偏心重錘と電動駆動機は、併せて振動モーター２２を形成する。少なくとも１個の偏心重錘を回動させることで、前記偏心重錘の振動運動が生み出される。偏心重錘は、揺動部材９に対し振動運動が伝達されるよう揺動部材９に接続してある。これにより、サイクリング装置４は振動態様にて運動する。振動運動は、矢印４０により示される。
【００４５】
振動モータ２２は、制御ユニット４４により制御される。ユーザーは、制御ユニット４４と通信する制御パネル４３を用いてサイクリング装置４の振動運動を調整することができる。
【００４６】
図６は、本発明に係るトレーニングシステムの第５実施形態を示す。振動装置７はディスク形状部材２４を備えており、これは前記サイクル軸６周りにディスク形状部材２４が回動可能となるようサイクリング装置４に接続される。ディスク形状部材２４の周縁２５は、実質径方向に延在する突起２６を備える。振動装置７はさらに、ディスク形状部材２４がサイクル軸６周りを回動するときに振動が生み出されるよう周縁２５に対し押圧する押圧装置２７を備える。ディスク形状部材２４の周縁２５の突起２６は、周縁２５の湾曲形状により形成してある。ディスク形状の中心軸２４は、サイクル軸６に合致する。
【００４７】
押圧装置２７は、ディスク形状部材２４の周縁２５に押圧部材２８を押圧させる構成としてある。押圧部材２８は、ばね４５により周縁に対し押圧される。押圧装置２７は、押圧部材２８がサイクル軸６に対し径方向にのみ変位可能とされるよう構成してある。
【００４８】
サイクル軸６は、フレーム２に固定してある。それ故、サイクリング部材５の振動運動がフレーム２に伝達される。
【００４９】
トレーニングシステム１はさらに、サイクル軸６周りのサイクリング部材５の回動に対し抵抗を与え、それを調整する可調整サイクリング抵抗器３３を備える。サイクル軸周りのサイクリング部材５の回動に対する抵抗を調整することで、抵抗の大きさが調整される。サイクリング抵抗器３３とサイクリング装置４は、駆動チェーン３９に機械的に連結してある。
【００５０】
図７は、本発明に係るトレーニングシステムの第６実施形態を示す。トレーニングシステム１は、フレーム２に揺動可能に接続した揺動部材９を備える。押圧装置２７が、フレーム２に固定してある。押圧装置２７の押圧部材２８は、揺動部材９に対し作用するばね２９によりディスク形状部材２４の周縁２５に強制当接させてある。長手方向軸１０の方向に、第２の接続点１２と第３の接続点１３は第１の接続点１１から同じ距離に位置する。
【００５１】
図８は、本発明に係るトレーニングシステムの第７実施形態を示す。サイクリング装置４は無端体（駆動チェーン３９）を駆動し、振動装置７は前記振動チェーン３９を振動させる構成としてある。無端体は、駆動ベルト等とすることもできる。振動装置７は、衝撃部材３２を駆動チェーン３９に対し発振態様にて駆動する構成としてある。振動装置７は、衝撃部材３２を駆動チェーン３９の両側に対し発振態様にて駆動する構成としてある。衝撃部材３２の発振運動は、矢印４５で示される。振動装置７は、衝撃部材３２を発振態様にて駆動するソレノイド３１を備える。衝撃部材３２の駆動チェーン３９に対する衝撃は、サイクリング部材５が振動態様にて運動するよう保証する。
【００５２】
図９は、図８のＩＸ部分の拡大図を示す。
【００５３】
図１０〜図１４は、本発明のトレーニングシステムの第８実施形態を示す。振動装置７は、揺動部材９に接続したクランクシャフト１７を備える。クランクシャフト１７は、第２の接続点１２で揺動部材１７に接続してある。クランクシャフト１７は、揺動可能な連接棒３６によってフレーム２に接続してある。
【００５４】
振動装置７は、サイクリング装置４によって駆動される。サイクリング装置４は、サイクル部材５をサイクル軸６周りに回動させたときにサイクル軸６周りに回動するよう構成したサイクルディスク３０を備える。サイクリング装置４は、サイクル部材５の回動運動がフライホイール２０に伝達されるようフライホイール２０に機械的に連結してある。サイクルディスク３０は、無端循環体３９に係合する第３の連結部材５３を備える。フライホイール２０は、無端循環体３９に係合する第２の連結部材５２を備える。これは、サイクリング装置４とフライホイール２０が１個の無端循環体３９だけで互いに機械的に連結されることを意味する。無端駆動体３９は、無端ベルト又は無端チェーン等の適当な任意の種類の無端体とすることができる。無端循環体３９は、第１のガイド装置（第１のガイド手段とも呼ぶ）４７により案内される。前記第１のガイド装置４７は、一対のローラーガイドで構成される。
【００５５】
フライホイール２０は、このフライホイール２０の回動運動がクランクシャフト１７に伝達されるように、クランクシャフト１７に機械的に連結してある。フライホイール２０は、無端駆動体３８によりクランクシャフト１７に機械的に連結してある。フライホイール２０は、無端駆動体３８に係合する第１の連結部材５１を備える。クランクシャフト１７は、前記無端駆動体３８に係合する第４の連結部材５４で構成される。これは、フライホイール２０とクランクシャフト１７が１個の無端駆動体３８だけで互いに機械的に連結されることを意味する。前記無端駆動体３８は、無端ベルト又は無端チェーン等の適当な任意の種類の無端体とすることができる。無端循環体３９は、第２のガイド装置（第２のガイド手段とも呼ぶ）４８により案内される。第１のガイド装置４８は、一対のローラーガイドで構成される。
【００５６】
フライホイール２０、及び／又はサイクルディスク３０、及び／又はクランクシャフト１７の連結が、フライホイールのフライホイール軸３７、及び／又はサイクリング装置４のサイクル軸６、及び／又はクランクシャフトの軸もまた包含し、回動運動がそれぞれフライホイール２０、及び／又はサイクルディスク３０、及び／又はクランクシャフト１７の間で伝達されるようにしてあることは、明らかであろう。この場合、第１の連結部材５１及び／又は第２の連結部材５２は、フライホイール２０から所定距離にフライホイール軸３７上に配設することができ、及び／又は第３の連結部材５３はサイクルディスク３０から所定距離にサイクル軸６上に配設することができ、及び／又は第４の連結部材５４は前記クランクシャフト１７から所定距離にクランクシャフト１７の軸上に配設することができる。
【００５７】
図１５は、サイクリング装置の第１の代案の実施形態と本発明に係るトレーニングシステムの発振装置の側面図の側面図を示す。サイクリング装置４は、サイクル軸６周りを回動可能な２個のサイクリング部材５を備える。各サイクリング部材５は、サイクリングロッド５６とこれに接続した係合部材５０とを備え、係合部材５０は部材軸４９周りに回動可能に装着してある。係合部材５０は、振動装置７を介してサイクリングロッド５６に接続してある。係合部材５０は、クランクシャフト１７を介してサイクリングロッド５６に接続してある。サイクリング軸６周りを回動可能なサイクルディスク３０が、配設してある。サイクリング装置４は、サイクリング装置４をサイクル軸６周りに回動させたときにサイクルディスク３０が回動するようサイクルディスク３０に連結してある。サイクルディスク３０は、無端駆動体３８により振動装置７に、かくして各サイクリング部材５のクランクシャフト１７に連結してある。サイクリング部材５をサイクル軸６周りに回動させると、サイクルディスク３０は無端駆動体３８を介して各サイクリング部材５のクランクシャフト１７を駆動することになる。クランクシャフト１７の駆動が、係合部材５０が矢印４０で示す如く振動する原因となる。クランクシャフト１７以外の任意の適当な振動装置７を使用できることは、明らかであろう。サイクルディスク３０は、サイクリング抵抗器３３にも接続することができる。
【００５８】
図１６と図１７は、それぞれ本発明に係るトレーニングシステムのサイクリング装置と振動装置の第２と第３の代案の実施形態の側面図の側面図を示す。これらの実施形態では、サイクルディスク３０は前記サイクルディスク３０が振動装置７を駆動するために振動装置７に直接当接するよう構成してある。サイクルディスク３０は、サイクリング軸６に対し固定されている。これは、サイクリング部材５がサイクリング軸６周りに回動するときにサイクルディスク３０がサイクリング軸６周りに回動しないことを意味する。サイクルディスク３０は、サイクリング部材５がサイクリング軸６周りに回動するときにサイクルディスク３０がサイクリング軸６周りに実質回動しないよう構成することができる。クランクシャフト１７は、サイクルディスク３０のディスク周縁５５に当接している。図１６の実施形態では、クランクシャフト１７は前記ディスク周縁５５の外面５８に当接している。図１７の実施形態では、クランクシャフト１７は前記ディスク周縁５５の内面５８に当接している。サイクルディスク３０に対しサイクリング部材５を回動させることで、クランクシャフト１７は係合部材５０が矢印４０で示す如く振動するよう駆動される。
【００５９】
図１８は、サイクリング装置の第４の代案の実施形態と本発明に係るトレーニングシステムの振動装置の側面図を示す。サイクリング装置４は、サイクリング装置４がクランクシャフト１７を介してサイクリング軸６周りに回動可能とされるよう構成してある。これが、サイクリング軸６周りのサイクリング部材５の回動が矢印４０で示すサイクリング部材５の振動の原因となる。サイクリング装置４は、サイクリング部材５をサイクル軸６周りに回動させたときにフライホイール２０がサイクリング軸６周りに回動するようフライホイール２０に連結することができる。
【００６０】
図１９は、サイクリング装置の第５の代案の実施形態と本発明に係るトレーニングシステムの振動装置の側面図を示す。サイクリング装置４は、無端循環体３９によりフライホイール２０に連結されるサイクルディスク３０を備える。フライホイール２０は、フライホイール軸３７周りに回動可能とされている。フライホイール２０は、揺動部材９によりサイクリング装置４に接続してある。揺動部材９は、枢支軸５７周りに揺動可能である。枢支軸５７は、サイクリング装置４に対し固定してある。揺動部材９はその第１の端部６１においてサイクリング装置４に接続され、その第２の端部６２においてフライホイール２０に接続されている。枢支軸５７は、揺動部材９の第１の端部６１と第２の端部６２との間に位置する。揺動部材９は、偏心接続点６０においてフライホイール２０に接続されている。偏心接続点６０は、揺動部材９に摺動可能に接続されている。偏心接続点６０は、揺動部材９内に配設された開口６１を通って摺動可能とされている。フライホイール２０の回動が、揺動部材９の第２の端部６２が矢印６３で示す如く振動する原因となる。枢支軸５７により、第２の端部６２の前記運動は前記第１の端部６１が矢印４０で示される如く振動するよう揺動部材９の第１の端部６１に伝達される。これにより、サイクリング部材５が振動する。
【００６１】
図２０〜２５は、本発明に係るトレーニングシステムの第９実施形態を示す。参照符号８，３４は、着座部材とユーザー支持体（図示せず）とがそれぞれ使用時に位置決めされる箇所を示す。使用時に、サイクリング部材（図示せず）はサイクリング軸６に接続される。サイクルディスク３０は、２個のサイクル部材がサイクル軸６周りに回動するとサイクル軸６周りに回動するよう構成してある。サイクルディスク３０は、無端体、より詳しくは無端循環体３９によりフライホイール２０に連結してある。
【００６２】
駆動装置１８は、無端駆動体３８により振動装置７に連結してある。振動装置７は、クランクシャフト１７を備える。クランクシャフト１７はサイクル軸６に接続され、サイクル軸６を振動態様４０にて運動させる構成としてある。クランクシャフト１７は、その周りをクランクシャフト１７が回動するクランクシャフト軸６３を備える。サイクル軸６は、クランクシャフト軸６３から所定距離に位置する。クランクシャフト１７は、図２５の矢印４０により示す如くクランクシャフト軸６３周りにサイクル軸６を回動させる構成としてある。サイクル軸６の振動運動４０は、水平運動Ａｈと垂直運動Ａｖとに分割することができる。クランクシャフト１７は、軸受７８によりフレーム２に接続してある。使用時に、クランクシャフト軸６３はフレーム２に対し固定位置に位置する。
【００６３】
サイクル軸６は、サイクル軸６が振動態様４０にて運動するときにサイクルディス０ク３０がサイクル軸６に沿って振動するようサイクルディスク３０に直接接続してある。クランクシャフト１７は、サイクル軸とサイクルディスク３０の振動運動が誘発する力をそれぞれ補償する第１の偏心重錘と第２の偏心重錘（図２５の９７参照）とを備える。第１の偏心重錘と第２の偏心重錘は、互いに一体化されて一つの偏心重錘９７を形成している。図２５は、図２２に示す線に沿う断面図を示す。
【００６４】
トレーニングシステム１は、サイクルディスク３０が振動態様にて運動するときに無端循環体３９に対し張力付与する張力付与装置６８を備える。張力付与装置６８は、第１の張力付与ローラー６９と第２の張力付与ローラー７０により無端循環体３９に係合する。第１の張力付与ローラー６９と第２の張力付与ローラー７０は、回動軸７６，７７周りに回動可能としてある。第１の張力付与ローラー６９と第２の張力付与ローラー７０は、ローラー支持体７２を介してクランクシャフト１７に接続してある。ローラー支持体７２は、サイクル軸６の振動運動４０と対比したときに使用時に張力付与装置６８が逆相で運動するようクランクシャフト１７に揺動可能に接続してある。これは、サイクル軸６が所定方向に移動する際に、張力付与装置が逆方向に移動することを意味する。張力付与装置６８の張力付与運動は、矢印７１により示される。張力付与運動７１は、第１の張力付与ローラー６９と第２の張力付与ローラー７０が無端循環ベルト３９に係合し、かくしてサイクルディスク３０が振動サイクル軸６により移動したときに無端循環ベルト３９が張力を受けた状態に保たれるよう保証する。
【００６５】
トレーニングシステム１は、振動装置７に対し駆動装置１８を連結するとともに駆動装置１８を振動装置７から分離する連結装置６４を備える。連結装置６４は、連結装置６４と振動装置７との間の連結分離を制御する連結制御部材７５を備える。連結装置６４は、連結位置６６と非連結位置６７との間を可動の連結ローラー６５を備える。連結ローラー６５は、連結バー７３上に装着し、回動軸７４周りに回動可能としてある。連結バー７３は、連結ローラー６５が連結位置６６と分離位置６７に位置決め可能となるよう制御部材７５を連結する手段により可動としてある。連結位置６６において、連結ローラー６５はフライホイール２０の回動が連結ローラー６５に伝達されるようフライホイール２０に係合する（図２０と図２１参照）。こうして、駆動装置１８はサイクリング装置４により駆動される。非連結位置６７において、連結ローラー６５はフライホイール２０に係合せず、かくしてフライホイール２０の回動が連結ローラー６５に伝達されないようにしてある（図２２と図２３参照）。
【００６６】
図２４Ｂは、図２０〜図２３、図２４Ａ、図２５のトレーニングシステムの改変例を示す。ギヤ装置２１は、連結ローラー６５の連結軸７４を介して駆動装置１８、より具体的には無端駆動ベルト３８に連結してある。ギヤ装置２６は、通信部材９９を介してギヤコントローラ４２（図２０参照）と通信接続状態にある。ギヤ装置２１は、異なるギヤ比をもたらすよう構成してある。ギヤ比は、ギヤコントローラ４２により調整可能である。ギヤ装置２１は、ハブギヤを備える。ギヤ比を制御することで、振動装置７の駆動が制御される。これは、ギヤ装置２１により振動装置７がサイクル軸６を振動態様にて運動させる周波数をユーザーが制御できるようになることを意味する。
【００６７】
図２６と図２７は、本発明に係るトレーニングシステムの第１０実施形態を示す。
【００６８】
図２８と図２９は、本発明に係るトレーニングシステムの第１１実施形態を示す。サイクルディスク３０は、第１の係合領域９５と第２の係合領域９６において無端循環体３９に係合する。張力付与ガイド７９は、第１の係合領域９５と第２の係合領域９６との間で無端循環体３９に係合する。第１の係合領域９５と第２の係合領域９６は、互いに所定距離を置いて位置する。これにより、サイクルディスク３０がサイクル軸６の振動運動により運動する際に、無端循環ベルト３９を張力を受けた状態に保つことができるようになる。張力付与ガイド７９は、張力付与ローラー８０を備える。
【００６９】
図３０〜３２は、本発明に係るトレーニングシステムの第１２実施形態を示す。サイクル軸６はダンピング継手８１を介してサイクルディスク３０に連結され、サイクルディスク３０に対するサイクル軸６の振動運動４０の伝達を低減する。ダンピング継手８１は、サイクルディスク３０に対するサイクル軸６の振動運動４０の伝達を低減する弾性材料を備える。ダンピング継手８１は、サイクル軸６を囲繞するゴムブッシュを備える。図３１は、図３０に示した線に沿う断面図を示す。
【００７０】
図３３〜３４は、本発明に係るトレーニングシステムの第１３実施形態を示す。サイクリング装置４は、無端サイクリングベルト３９を介して第１のホイール８２に連結してある。連結装置６４は、第１のホイール８２に連結され、振動装置７を駆動する。トレーニングシステム１はさらに、ユーザー支持体３４により操縦することのできる第２のホイール８３を備える。
【００７１】
図３５と図３６は、本発明に係るトレーニングシステムの第１４実施形態を示す。駆動装置は、振動装置７を第１のホイール８２に直接連結する無端駆動ベルト３８を備える。
【００７２】
図３７は、本発明に係るトレーニングシステムの第１５実施形態を示す。足支持体８５は、その一端でサイクリング部材５に（枢支軸８７周りに）揺動可能に接続してある。その他端で、足支持体８５はハンドロッド８４に（枢支軸８８周りに）揺動可能に接続してある。ハンドロッド８４は、フレーム２に対し（枢支軸８６周りに）揺動可能に接続してある。使用時、足支持体８５は楕円運動を行なう。
【００７３】
図３８〜４０は、本発明に係るトレーニングシステムの第１６実施形態を示す。サイクル軸６は、接続部材８９に接続してある。接続部材８９は、部材ガイド９０内に配置してある。部材ガイド９０は、接続部材８９が実質直線に沿って可動とされるよう接続部材８９を案内する。接続部材８９は、ダンパー１５に対し係止している。サイクル軸６は、接続部材８９を介して振動装置７に接続してある。振動装置７は、偏心重錘軸９３周りに回動可能な偏心重錘９２を備える。振動装置７は、偏心重錘軸９３周りに回動可能で、無端体９４によりサイクルディスク３０に連結されて振動装置７を駆動する連結部材９１を備える。サイクリング部材５をサイクル軸６周りに回動させると、サイクルディスク３０が振動装置７を駆動し、偏心重錘９２が偏心重錘軸９３周りに回動し、接続部材８９とかくして同様にサイクル軸６の振動運動４０を生み出す。部材ガイド９０により、サイクル軸６は実質直線に沿って振動する。図４０は、トレーニングシステム１の分解図を示す。
【００７４】
本出願は、下記の文節の１もしくは任意の組み合わせにより規定することができる。
【００７５】
１．  使用時にトレーニングシステムを表面に位置決めするフレームと、
サイクル軸周りに回動するよう構成された少なくとも１個のサイクリング部材を備えるサイクリング装置と、
少なくとも１個のサイクリング部材を振動態様にて運動させる振動装置と
を備える、ユーザーの身体部位を鍛えるトレーニングシステム。
【００７６】
２．  振動装置を、サイクル軸を振動態様にて運動させる構成した、文節１に記載のトレーニングシステム。
【００７７】
３．  使用時にサイクル軸がフレームに対し振動態様にて運動するよう構成した、先行文節のいずれかに記載のトレーニングシステム。
【００７８】
４．  サイクリング装置を、サイクル軸がフレームに対し振動態様にて可動とされるようフレームに対し接続した、先行文節のいずれかに記載のトレーニングシステム。
【００７９】
５．  振動装置が、サイクル軸に接続されてサイクル軸を振動態様にて運動させる構成のクランクシャフトを備える、先行文節のいずれかに記載のトレーニングシステム。
【００８０】
６．  クランクシャフトがクランクシャフト軸を備えており、サイクル軸がクランクシャフト軸から所定距離に位置し、クランクシャフトをクランクシャフト軸周りにサイクル軸を回動させる構成とした、文節５に記載のトレーニングシステム。
【００８１】
７．  クランクシャフトを、クランクシャフト軸がフレームに対し実質固定された位置に位置するようフレームに接続した、文節５又は６いずれかに記載のトレーニングシステム。
【００８２】
８．  クランクシャフトがサイクル軸の振動運動が誘発する力を補償する第１の偏心重錘を備える、文節５〜７のいずれかに記載のトレーニングシステム。
【００８３】
９．  サイクリング装置が、少なくとも１個のサイクル部材をサイクル軸周りに回動させたときにサイクル軸周りに回動させる構成としたサイクルディスクを備える、先行文節のいずれかに記載のトレーニングシステム。
【００８４】
１０．  サイクルディスクが無端体に係合する、文節９に記載のトレーニングシステム。
【００８５】
１１．  振動装置を、サイクルディスクを振動態様にて運動させる構成とした、文節９又は１０のいずれかに記載のトレーニングシステム。
【００８６】
１２．  クランクシャフトがサイクルディスクの振動運動が誘発する力を補償する第２の偏心重錘を備える、文節５から８のいずれかを組み合わせた文節１１に記載のトレーニングシステム。
【００８７】
１３．  サイクル軸をダンピング継手を介してサイクルディスクに連結し、サイクルディスクに対するサイクル軸の振動運動の伝達を低減する、文節９又は１０のいずれかに記載のトレーニングシステム。
【００８８】
１４．  ダンピング継手がサイクルディスクに対するサイクル軸の振動運動の伝達を低減する弾性材料を備える、文節１３に記載のトレーニングシステム。
【００８９】
１５．  ダンピング継手がサイクルディスクに対するサイクル軸の振動運動の伝達を低減する弾性ブッシュを備え、この弾性ブッシュがサイクル軸を囲繞する、文節１３又は１４のいずれかに記載のトレーニングシステム。
【００９０】
１６．  ダンピング継手がサイクルディスクに対するサイクル軸の振動運動の伝達を低減するゴムブッシュを備え、このゴムブッシュがサイクル軸を囲繞する、文節１３〜１５のいずれかに記載のトレーニングシステム。
【００９１】
１７．  サイクルディスクが係合する無端体に張力付与する張力付与装置を備える、文節１０〜１６のいずれかに記載のトレーニングシステム。
【００９２】
１８．  張力付与装置は無端体に係合させてクランクシャフトに接続し、サイクル軸の振動運動と対比したときに使用時に張力付与装置が逆相で運動するようにした、文節１７に記載のトレーニングシステム。
【００９３】
１９．  張力付与装置は無端体に係合する少なくとも１個の張力付与ローラーとローラー支持体とを備え、このローラー支持体が前記少なくとも１個の張力付与ローラーをクランクシャフトに接続し、サイクル軸の振動運動と対比したときに使用時に逆相で運動する、文節１７又は１８のいずれかに記載のトレーニングシステム。
【００９４】
２０．  サイクルディスクが第１の係合領域と第２の係合領域で無端体に係合し、張力付与ガイドが第１の係合領域と第２の係合領域との間で無端体に係合する、文節１０〜１９のいずれかに記載のトレーニングシステム。
【００９５】
２１．  第１の係合領域と第２の係合領域を互いに所定距離を置いて配置した、文節２０に記載のトレーニングシステム。
【００９６】
２２．  振動装置を駆動する駆動装置を備える、先行文節のいずれかに記載のトレーニングシステム。
【００９７】
２３．  駆動装置をサイクリング装置により駆動する構成とした、文節２２に記載のトレーニングシステム。
【００９８】
２４．  駆動装置を振動装置に連結するとともに、振動装置から駆動装置を分離する連結装置を備える、文節２２又は２３のいずれかに記載のトレーニングシステム。
【００９９】
２５．  連結装置がこの連結装置と振動装置との間の連結分離を制御する連結制御部材を備える、文節２４に記載のトレーニングシステム。
【０１００】
２６．  フレームは着座部材を備え、この着座部材に対しサイクル軸を振動態様にて可動とした、先行文節のいずれかに記載のトレーニングシステム。
【０１０１】
２７．  サイクリング装置をサイクル軸が振動態様にてフレームに対し可動とされるようフレームに揺動可能に接続した、先行文節のいずれかに記載のトレーニングシステム。
【０１０２】
２８．  サイクリング装置を揺動部材を介してフレームに接続した、先行文節のいずれかに記載のトレーニングシステム。
【０１０３】
２９．  揺動部材が長手方向軸を備える、先行文節のいずれかに記載のトレーニングシステム。
【０１０４】
３０．  揺動部材をこの揺動部材上の第１の接続点においてフレームに揺動可能に接続した、先行文節のいずれかに記載のトレーニングシステム。
【０１０５】
３１．  振動装置を揺動部材上の第２の接続点において揺動部材に接続した、先行文節のいずれかに記載のトレーニングシステム。
【０１０６】
３２．  第１の接続点と第２の接続点を長手方向軸の方向に互いに所定距離を置いて配置した、先行文節のいずれかに記載のトレーニングシステム。
【０１０７】
３３．  サイクリング装置を揺動部材の第３の接続点において揺動部材に接続した、先行文節のいずれかに記載のトレーニングシステム。
【０１０８】
３４．  長手方向軸の方向において、第３の接続点を第２の接続点が前記第１の接続点から位置するよりも第１の接続点から遠い距離に配置した、先行文節のいずれかに記載のトレーニングシステム。
【０１０９】
３５．  長手方向軸の方向において、第２の接続点を第３の接続点が前記第１の接続点から位置するよりも第１の接続点から遠い距離に配置した、先行文節のいずれかに記載のトレーニングシステム。
【０１１０】
３６．  長手方向軸の方向において、第２の接続点を第３の接続点が前記第１の接続点から位置するのと同じ距離に第１の接続点から配置した、先行文節のいずれかに記載のトレーニングシステム。
【０１１１】
３７．  揺動部材上の第４の接続点で揺動部材に対しダンパーを接続した、先行文節のいずれかに記載のトレーニングシステム。
【０１１２】
３８．  長手方向軸の方向において、第３の接続点を第４の接続点が前記第１の接続点から位置するよりも第１の接続点から遠い距離に配置した、先行文節のいずれかに記載のトレーニングシステム。
【０１１３】
３９．  長手方向軸の方向において、第４の接続点を第３の接続点が前記第１の接続点から位置するよりも第１の接続点から遠い距離に配置した、先行文節のいずれかに記載のトレーニングシステム。
【０１１４】
４０．  長手方向軸の方向において、第３の接続点を第４の接続点が前記第１の接続点から位置するのと同じ距離に第１の接続点から配置した、先行文節のいずれかに記載のトレーニングシステム。
【０１１５】
４１．  揺動部材がフレームの一側から延在する揺動部を備え、第１の接続点及び／又は第２の接続点及び／又は第３の接続点及び／又は第４の接続点を前記揺動部上に配置した、先行文節のいずれかに記載のトレーニングシステム。
【０１１６】
４２．  振動装置が揺動部材に接続したクランクシャフトを備える、先行文節のいずれかに記載のトレーニングシステム。
【０１１７】
４３．  クランクシャフトを第２の接続点で揺動部材に接続した、先行文節のいずれかに記載のトレーニングシステム。
【０１１８】
４４．  トレーニングシステムがクランクシャフトを駆動する駆動装置を備える、先行文節のいずれかに記載のトレーニングシステム。
【０１１９】
４５．  駆動装置がクランクシャフトに連結した電動モーターを備える、先行文節のいずれかに記載のトレーニングシステム。
【０１２０】
４６．  振動装置をサイクリング装置により駆動する、先行文節のいずれかに記載のトレーニングシステム。
【０１２１】
４７．  クランクシャフトをサイクリング装置により駆動する、先行文節のいずれかに記載のトレーニングシステム。
【０１２２】
４８．  駆動装置がクランクシャフトに連結するフライホイールを備える、先行文節のいずれかに記載のトレーニングシステム。
【０１２３】
４９．  このフライホイールの回動運動がクランクシャフトに伝達されるよう、フライホイールをクランクシャフトに連結した、先行文節のいずれかに記載のトレーニングシステム。
【０１２４】
５０．  フライホイールを無端駆動体によりクランクシャフトに連結した、先行文節のいずれかに記載のトレーニングシステム。
【０１２５】
５１．  フライホイールを少なくとも１個の無端駆動体によりクランクシャフトに連結した、先行文節のいずれかに記載のトレーニングシステム。
【０１２６】
５２．  フライホイールを１個の無端駆動体だけでクランクシャフトに連結した、先行文節のいずれかに記載のトレーニングシステム。
【０１２７】
５３．  フライホイールをギヤ装置を介してクランクシャフトに連結した、先行文節のいずれかに記載のトレーニングシステム。
【０１２８】
５４．  フライホイールをサイクリング装置により駆動する、先行文節のいずれかに記載のトレーニングシステム。
【０１２９】
５５．  サイクリング装置をフライホイールに連結し、該フライホイールを駆動する、先行文節のいずれかに記載のトレーニングシステム。
【０１３０】
５６．  少なくとも１個のサイクル部材の回動運動がフライホイールに伝達されるよう、フライホイールをサイクリング装置に連結した、先行文節のいずれかに記載のトレーニングシステム。
【０１３１】
５７．  サイクリング装置を無端循環体によりフライホイールに連結した、先行文節のいずれかに記載のトレーニングシステム。
【０１３２】
５８．  サイクリング装置を少なくとも１個の無端循環体によりフライホイールに連結した、先行文節のいずれかに記載のトレーニングシステム。
【０１３３】
５９．  サイクリング装置を１個の無端循環体だけでフライホイールに連結した、先行文節のいずれかに記載のトレーニングシステム。
【０１３４】
６０．  フライホイールが無端駆動体に係合する第１の連結部材を備える、先行文節のいずれかに記載のトレーニングシステム。
【０１３５】
６１．  フライホイールが無端駆動体に係合する第２の連結部材を備える、先行文節のいずれかに記載のトレーニングシステム。
【０１３６】
６２．  サイクリング装置をギヤ装置を介してフライホイールに連結した、先行文節のいずれかに記載のトレーニングシステム。
【０１３７】
６３．  サイクリング装置が無端循環体に係合する第３の連結部材を備える、先行文節のいずれかに記載のトレーニングシステム。
【０１３８】
６４．  サイクリング装置が、少なくとも１個のサイクル部材を前記サイクル軸周りに回動させたときに、サイクル軸周りに回動するよう構成したサイクルディスクを備える、先行文節のいずれかに記載のトレーニングシステム。
【０１３９】
６５．  サイクルディスクが第３の連結部材を備える、先行文節のいずれかに記載のトレーニングシステム。
【０１４０】
６６．  振動装置が、無端循環体に係合する第４の連結部材を備える、先行文節のいずれかに記載のトレーニングシステム。
【０１４１】
６７．  クランクシャフトを第４の連結部材で構成した、先行文節のいずれかに記載のトレーニングシステム。
【０１４２】
６８．  振動装置は、揺動部材に回動可能に接続した少なくとも１個の偏心重錘と、揺動部材が振動態様で運動するよう偏心重錘を回動させる電動駆動機とを備える、先行文節のいずれかに記載のトレーニングシステム。
【０１４３】
６９．  振動装置が、
前記サイクル軸周りに回動可能とされるようサイクリング装置に接続したディスク形状部材で、その周縁が実質径方向に延在する突起を備えるディスク形状部材と、
前記周縁に押圧し、ディスク形状部材をサイクル軸周りに回動させたときに少なくとも１個のサイクリング部材が振動態様にて運動するようにした押圧装置とを備える、先行文節のいずれかに記載のトレーニングシステム。
【０１４４】
７０．  押圧装置を、ディスク形状部材の周縁に対し押圧部材を押し付ける構成とした、先行文節のいずれかに記載のトレーニングシステム。
【０１４５】
７１．  押圧装置を、押圧部材がサイクル軸に対し径方向にのみ変位可能とされるよう構成した、先行文節のいずれかに記載のトレーニングシステム。
【０１４６】
７２．  サイクリング装置が無端体を駆動し、無端体を振動させて少なくとも１個のサイクリング部材が振動態様にて運動するよう振動装置を構成した、先行文節のいずれかに記載のトレーニングシステム。
【０１４７】
７３．  振動装置は、無端体に対し衝撃部材を振動態様にて駆動する構成とした、先行文節のいずれかに記載のトレーニングシステム。
【０１４８】
７４．  トレーニングシステムが、サイクル軸周りのサイクリング部材の回動に対し抵抗を与え、それを調整する可調整サイクリング抵抗器を備える、先行文節のいずれかに記載のトレーニングシステム。
【０１４９】
７５．  サイクル軸をフレームに固定した、先行文節のいずれかに記載のトレーニングシステム。
【０１５０】
７６．  サイクル軸が仮想サイクル軸である、先行文節のいずれかに記載のトレーニングシステム。
【０１５１】
７７．  サイクル軸は仮想サイクル軸であり、サイクリング装置が該仮想サイクル軸周りを回動するよう構成した、先行文節のいずれかに記載のトレーニングシステム。
【０１５２】
７８．  サイクル軸がサイクル中心を定める仮想サイクル軸であり、サイクリング装置が該サイクル中心周りを回動するよう構成した、先行文節のいずれかに記載のトレーニングシステム。
【０１５３】
７９．  サイクル軸が、その周りを使用時にサイクリング装置に回動させるサイクル中心を規定する仮想軸である、先行文節のいずれかに記載のトレーニングシステム。
【０１５４】
８０．  トレーニングシステムを使用時に表面に位置決めするフレームと、
サイクル中心周りに回動する構成とした少なくとも１個のサイクリング部材と、
少なくとも１個のサイクリング部材を振動態様にて運動させる振動装置と
を備える、ユーザーの身体部位を鍛えるトレーニングシステム。
【０１５５】
８１．  １以上の任意の先行文節からなる１以上の特徴を備える、文節５９に記載のトレーニングシステム。
【０１５６】
８２．  サイクリング装置を、サイクル軸及び／又は仮想サイクル軸及び／又はサイクル中心周りに実質円軌道にて回動する構成とした、先行文節のいずれかに記載のトレーニングシステム。
【０１５７】
８３．  サイクリング装置を、サイクル軸及び／又は仮想サイクル軸及び／又はサイクル中心周りに実質楕円軌道にて回動させる構成とした、先行文節のいずれかに記載のトレーニングシステム。
【０１５８】
８４．  サイクリング装置を、その動きがノルディックスキーの動きをシミュレーションするよう、サイクル軸及び／又は仮想サイクル軸及び／又はサイクル中心周りに実質楕円にて回動させる構成とした、先行文節のいずれかに記載のトレーニングシステム。
【０１５９】
８５．  サイクリング装置を、その動きがユーザーの足を用いたノルディックスキーの動きをシミュレーションするよう、サイクル軸及び／又は仮想サイクル軸及び／又はサイクル中心周りに実質楕円にて回動させる構成とした、先行文節のいずれかに記載のトレーニングシステム。
【０１６０】
８６．  ユーザーが係合する構成とした少なくとも１個のハンドロッドを備え、この少なくとも１個のハンドロッドを振動させる構成とした、先行文節のいずれかに記載のトレーニングシステム。
【０１６１】
８７．  ユーザーが係合する構成とした２個のハンドロッドを備え、この２個のハンドロッドを振動させる構成とした、先行文節のいずれかに記載のトレーニングシステム。
【０１６２】
８８．  トレーニングシステムが、少なくとも１個の可動ハンドロッド及び／又は２個の可動ハンドロッドを振動させる追加の振動装置を備える、先行文節のいずれかに記載のトレーニングシステム。
【０１６３】
８９．  振動装置を、少なくとも１個の可動ハンドロッド及び／又は２個の可動ハンドロッドを振動させる構成とした、先行文節のいずれかに記載のトレーニングシステム。
【０１６４】
９０．  ハンドロッドを、その動きがノルディックスキーの動きをシミュレーションするよう可動とした、先行文節のいずれかに記載のトレーニングシステム。
【０１６５】
９１．  ハンドロッドを、その動きがユーザーの手を用いたノルディックスキーの動きをシミュレーションするよう可動とした、先行文節のいずれかに記載のトレーニングシステム。
【０１６６】
９２．  トレーニングシステムが詳細な説明及び／又は図面に開示された特徴の１つ又は任意の組み合わせを含む、先行文節のいずれかに記載のトレーニングシステム。
【０１６７】
９３．  先行文節のいずれかに記載のトレーニングシステムのサイクル軸周りに少なくとも１個のサイクル部材の回動を含む、ユーザーの身体部位のトレーニング方法。
【０１６８】
９４．  先行文節のいずれかに記載のトレーニングシステムのサイクル中心周りに少なくとも１個のサイクル部材の回動を含む、ユーザーの身体部位のトレーニング方法。
【０１６９】
９５．  先行文節１〜９２のいずれかに記載したトレーニングシステムの使用法。
【０１７０】
本発明に係るトレーニングシステム、トレーニングシステムの方法と使用が、本願が規定する保護範囲から逸脱することなく可能であることは、当業者には明らかであろう。
【符号の説明】
【０１７１】
１  トレーニングシステム
３  表面
２  フレーム
５  サイクリング部材
４  サイクリング装置
６  サイクル軸
７  振動装置
８  着座部材
９  揺動部材
１０  長手方向軸
１１  第１の接続点
１２  第２の接続点
１３  第３の接続点
１６  揺動部
１５  ダンパー
１７  クランクシャフト
１８  駆動装置
１９  電動モーター
２０  フライホイール
２１  ギア装置
２２  振動モータ
２４  ディスク形状部材
２５  周縁
２６  突起
２７  押圧装置
２８  押圧部材
２９  ばね
３０  サイクルディスク
３１  ソレノイド
３２  衝撃部材
３３  可調整サイクリング抵抗器
３４  ユーザー支持体
３６  連結棒
３７  フライホイール軸
３８  無端駆動体
３９  無端循環体
４２  ギアコントローラ
４３  制御パネル
４４  制御ユニット
４５  ばね
４６  ダンピング支持体
４７  第１のガイド装置
４８  第２のガイド装置
４９  部材軸
５０  係合部材
５１  第１の連結部材
５３  第３の連結部材
５４  第４の連結部材
５７  枢支軸
６４  連結装置
６５  連結ローラ
６６  連結位置
６７  非連結位置
６８  張力付与装置
６９  第１の張力付与ローラー
７０  第２の張力付与ローラー
７２  ローラー支持体
７３  連結バー
７５  連結制御部材
７６，７７  回転軸
７８  軸受
７９  張力付与ガイド
８１  ダンピング継手
８２  第１のホイール
８３  第２のホイール
８４  ハンドロッド
８５  足支持体
８６，８７，８８  枢支軸
８９  接続部材
９０  部材イド
９１  連結部材
９２，９３  偏心重錘
９５  第１の係合領域
９６  第２の係合領域
【図１】
2011524235.tif 000003
【図２】
2011524235.tif 000004
【図３】
2011524235.tif 000005
【図４】
2011524235.tif 000006
【図５】
2011524235.tif 000007
【図６】
2011524235.tif 000008
【図７】
2011524235.tif 000009
【図８】
2011524235.tif 000010
【図９】
2011524235.tif 000011
【図１０】
2011524235.tif 000012
【図１１】
2011524235.tif 000013
【図１２】
2011524235.tif 000014
【図１３】
2011524235.tif 000015
【図１４】
2011524235.tif 000016
【図１５】
2011524235.tif 000017
【図１６】
2011524235.tif 000018
【図１７】
2011524235.tif 000019
【図１８】
2011524235.tif 000020
【図１９】
2011524235.tif 000021
【図２０】
2011524235.tif 000022
【図２１】
2011524235.tif 000023
【図２２】
2011524235.tif 000024
【図２３】
2011524235.tif 000025
【図２４ａ】
2011524235.tif 000026
【図２４ｂ】
2011524235.tif 000027
【図２５】
2011524235.tif 000028
【図２６】
2011524235.tif 000029
【図２７】
2011524235.tif 000030
【図２８】
2011524235.tif 000031
【図２９】
2011524235.tif 000032
【図３０】
2011524235.tif 000033
【図３１】
2011524235.tif 000034
【図３２】
2011524235.tif 000035
【図３３】
2011524235.tif 000036
【図３４】
2011524235.tif 000037
【図３５】
2011524235.tif 000038
【図３６】
2011524235.tif 000039
【図３７】
2011524235.tif 000040
【図３８】
2011524235.tif 000041
【図３９】
2011524235.tif 000042
【図４０】
2011524235.tif 000043
【手続補正書】
【提出日】平成23年2月17日(2011.2.17)
【手続補正１】
【補正対象書類名】特許請求の範囲
【補正対象項目名】全文
【補正方法】変更
【補正の内容】
【特許請求の範囲】
【請求項１】
ユーザーの身体部位を鍛えるためのトレーニングシステムであって、
前記トレーニングシステムを使用時に表面に配置するのに使用するフレームと、
サイクル軸周りに回動するように構成された少なくとも１つのサイクリング部材を備えるサイクリング装置と、
前記少なくとも１つのサイクリング部材を振動態様で運動させるための振動装置と
を備える、トレーニングシステム。
【請求項２】
前記振動装置は前記サイクル軸を振動態様で運動させるように構成されている、請求項１に記載のトレーニングシステム。
【請求項３】
前記サイクル軸は前記フレームに対して振動態様で運動するように構成されている、請求項１または２に記載のトレーニングシステム。
【請求項４】
前記サイクル軸が前記フレームに対して振動態様で運度するように、前記サイクリング装置が前記フレームに連結されている、請求項１から３のいずれかに記載のトレーニングシステム。
【請求項５】
前記振動装置は、前記サイクル軸に連結されると共に前記サイクル軸を振動態様で運動するように構成されたクランクシャフトを備える、請求項１から４のいずれかに記載のトレーニングシステム。
【請求項６】
前記クランクシャフトはクランクシャフト軸を備え、前記サイクル軸は前記クランクシャフト軸から離れて位置し、かつ前記クランクシャフトは前記クランクシャフト軸周りに回動するように構成されている、請求項５に記載のトレーニングシステム。
【請求項７】
前記クランクシャフトは前記クランクシャフト軸が前記フレームに対して実質的に固定された位置に位置するように前記クレームに連結されている、請求項５又は６に記載のトレーニングシステム。
【請求項８】
前記サイクリング装置は、前記少なくも１つのサイクリング部材が前記サイクル軸周りに回動するときに前記サイクル軸周りに回動するように構成されたサイクルディスクを備える、請求項１から７のいずれかに記載のトレーニングシステム。
【請求項９】
前記サイクル軸は、前記サイクル軸から前記サイクルディスクへの振動の伝達を低減するダンピング継手を介して前記サイクルディスクに連結されている、請求項８に記載のトレーニングシステム。
【請求項１０】
前記ダンピング継手は前記サイクル軸の振動運動の前記サイクルディスクへの伝達を低減する弾性材料を備える、請求項９に記載のトレーニングシステム。
【請求項１１】
前記振動装置を駆動するための駆動装置を備える、請求項１から１０のいずれかに記載のトレーニングシステム。
【請求項１２】
前記駆動装置は前記サイクリング装置により駆動されるように構成されている、請求項１１に記載のトレーニングシステム。
【請求項１３】
前記駆動装置の前記振動装置に対する連結と、前記駆動装置の前記振動装置からの切り離しとのための連結装置を備える、請求項１１又は１２に記載のトレーニングシステム。
【請求項１４】
請求項１から１３のいずれかに記載の前記トレーニングシステムの前記サイクル軸回りに前記少なくとも１つのサイクル部材を回動させるために前記身体部位を使用する、ユーザーの身体部位を鍛える方法
【請求項１５】
請求項１から１３のいずれかに記載のトレーニングシステムの使用。
【国際調査報告】
2011524235.tif 000044
2011524235.tif 000045
2011524235.tif 000046
2011524235.tif 000047
2011524235.tif 000048